(57)【要約】【課題】  切替ロッドを利用しピストン位置に依存して減衰係数を換える場合であっても、切替ロッドにバイパス路を形成するための加工が容易で、ピストンの切替ロッドへの引っ掛かりを抑制できるダンパを提供する。【解決手段】  ダンパＤ１がシリンダ１内を伸側室Ｒ１と圧側室Ｒ２に区画するピストン３に形成されて伸側室Ｒ１と圧側室Ｒ２との間を移動する液体の流れに抵抗を与える伸側通路３ａ及び圧側通路３ｂと、ピストン３が摺動自在に貫通する切替ロッド７とを備え、切替ロッド７は、内部に伸側室Ｒ１と圧側室Ｒ２とを連通可能なバイパス路７０を有し、ピストン３が所定のストローク範囲Ｅ１にある場合にバイパス路７０の連通を許容し、ピストン３が所定のストローク範囲Ｅ１を超えてストロークエンド側へ移動した場合にバイパス路７０の連通を遮断する。【選択図】  図２
2018135896.tif 000002
【特許請求の範囲】
【請求項１】
シリンダと、
少なくとも軸方向の一端が前記シリンダ外へ突出するロッドと、
前記ロッドの軸方向に貫通する挿通孔を有し、前記ロッドに連結して前記シリンダ内に移動可能に挿入されて、前記シリンダ内を伸側室と圧側室とに区画するピストンと、
前記ピストンに形成されて、前記伸側室と前記圧側室との間を移動する液体の流れに抵抗を与える減衰通路と、
前記シリンダ内に設けられて前記ロッドの軸方向に沿って配置されて、前記ピストンの前記挿通孔に摺動自在に挿通する切替ロッドとを備え、
前記切替ロッドは、その内部に前記伸側室と前記圧側室とを連通可能なバイパス路を有し、前記ピストンが所定のストローク範囲内を移動する場合に前記バイパス路の連通を許容し、前記ピストンが前記所定のストローク範囲を超えてストロークエンド側を移動する場合に前記バイパス路の連通を遮断する
ことを特徴とするダンパ。
【請求項２】
前記切替ロッドは、一対設けられており、
一方の前記切替ロッドに形成された前記バイパス路の連通が許容される前記所定のストローク範囲は、前記ピストンの中立位置よりも伸側のストロークエンド側に設定されるとともに、前記中立位置に前記ピストンがある場合に、前記ピストンの圧側室側の面が当該所定のストローク範囲から圧側のストロークエンド側へ逸脱する位置にあるように設定され、
他方の前記切替ロッドに形成された前記バイパス路の連通が許容される前記所定のストローク範囲は、前記中立位置よりも圧側のストロークエンド側に設定されるとともに、前記中立位置に前記ピストンがある場合に、前記ピストンの伸側室側の面が当該所定のストローク範囲から伸側のストロークエンド側へ逸脱する位置にあるように設定される
ことを特徴とする請求項１に記載のダンパ。
【請求項３】
前記切替ロッドは、一対設けられており、
一方の前記切替ロッドに形成された前記バイパス路は、前記伸側室から前記圧側室へ向かう液体の流れに抵抗を与えるとともに、逆向きの流れを阻止する伸側バイパス路であり、
他方の前記切替ロッドに形成された前記バイパス路は、前記圧側室から前記伸側室へ向かう液体の流れに抵抗を与えるとともに、逆向きの流れを阻止する圧側バイパス路である
ことを特徴とする請求項１に記載のダンパ。
【請求項４】
前記バイパス路は、メイン通路と、前記メイン通路の一端に連なる第一サブ通路と、前記メイン通路の他端に連なる第二サブ通路とを有して構成されており、
前記第一サブ通路と前記第二サブ通路を液体が通過する際の抵抗は、前記メイン通路を液体が通過する際の抵抗よりも大きく設定されており、
前記切替ロッドは、
前記ピストンが伸側のストロークエンド側であって前記所定のストローク範囲における一方の端部へ移動する場合、前記メイン通路と前記第一サブ通路を介して前記伸側室と前記圧側室とを連通し、
前記ピストンが圧側のストロークエンド側であって前記所定のストローク範囲における他方の端部へ移動する場合、前記メイン通路と前記第二サブ通路を介して前記伸側室と前記圧側室とを連通し、
前記ピストンが前記所定のストローク範囲における前記一方の端部と前記他方の端部との間を移動する場合、前記メイン通路を介して前記伸側室と前記圧側室とを連通する
ことを特徴とする請求項１に記載のダンパ。
【請求項５】
前記切替ロッドは、一対設けられており、
一方の前記切替ロッドに形成された前記第一サブ通路は、前記伸側室から前記メイン通路へ向かう液体の流れのみを許容し、他方の前記切替ロッドに形成された前記第一サブ通路は、前記メイン通路から前記伸側室へ向かう液体の流れのみを許容し、
一方の前記切替ロッドに形成された前記第二サブ通路は、前記圧側室から前記メイン通路へ向かう液体の流れのみを許容し、他方の切替ロッドに形成された前記第二サブ通路は、前記メイン通路から前記圧側室へ向かう液体の流れのみを許容する
ことを特徴とする請求項４に記載のダンパ。
【請求項６】
前記ロッドが前記ピストンの片側から前記シリンダ外へ突出して片ロッド型に設定されており、
内部に液体が貯留される液溜室が形成されるタンクと、
前記液溜室から前記圧側室へ向かう液体の流れのみを許容する吸込通路と、
前記液溜室から前記圧側室へ向かう液体の流れに抵抗を与える排出通路とを備える
ことを特徴とする請求項１から請求項５の何れか一項に記載のダンパ。
【発明の詳細な説明】
【技術分野】
【０００１】
本発明は、ダンパに関する。
【背景技術】
【０００２】
従来、免震装置の中には、構造物と地盤との間に、構造物の重量を支えつつ構造物の水平方向への移動を許容するアイソレータと、構造物の水平方向の移動を抑制するダンパとを介在させたものがある（例えば、特許文献１）。
【０００３】
このような免震装置では、ダンパの発生する減衰力が小さいほど、地震発生時に地盤の振動が構造物へ伝達し難くなるので、高い振動絶縁性を確保して高い免震効果を得られる。とはいえ、ダンパの減衰力が小さいと、大地震の発生等により大きな揺れが入力された場合に構造物の移動を充分に抑制できず、構造物の振幅が大きくなり過ぎて隣接する建物又は擁壁等に干渉する虞がある。そうかといって、大地震に備えてダンパの減衰力を大きくしたのでは、中小規模の地震等により構造物が揺れる場合にダンパの減衰力が効きすぎて、免震効果を減殺してしまう。
【０００４】
このような事情から、免震装置に利用されるダンパでは、中小規模の地震発生時には発生する減衰力を極力小さく抑えて高い振動絶縁性を確保し、良好な免震効果を得るとともに、大地震の発生時には大きな減衰力を発揮して、構造物の振幅が大きくなり過ぎて隣接する建物又は擁壁等に干渉するのを防ぐのが望ましい。
【０００５】
また、ダンパの中には、シリンダと、シリンダ内に摺動自在に挿入されて、シリンダ内を伸側室と圧側室に区画するピストンと、ピストンに形成されて伸側室と圧側室との間を行き来する液体の流れに抵抗を与える減衰通路と、ピストンを貫通し、シリンダの軸方向に沿って配置される切替ロッドとを備え、切替ロッドの外周に形成した溝により、ピストンが所定のストローク範囲にある場合に伸側室と圧側室とを連通するバイパス路を形成するものがある（例えば、特許文献２）。
【０００６】
当該ダンパによれば、ストロークの途中で減衰係数を切り換えて減衰力の大きさを変更できる。そこで、ピストンの中立位置からの移動量が大きくなってピストンがストロークエンドに接近した場合に、バイパス路による伸側室と圧側室との連通を遮断するように設定すれば、振幅が小さい場合の減衰係数を小さくするとともに、振幅が大きくなった場合の減衰係数を大きくできる。
【０００７】
このため、このようなダンパを免震装置に利用すると、ダンパの振幅がそれほど大きくならない中小規模の地震発生時には、減衰係数を小さくして減衰力を小さくできる。その一方、ダンパの振幅が大きくなる大地震の発生時には、減衰係数を大きくして大きな減衰力を発揮できる。さらに、このように地震の大きさ（規模）に応じた減衰力を発揮できるようにしても、ダンパの構造が複雑にならず免震装置を安価にできる。
【先行技術文献】
【特許文献】
【０００８】
【特許文献１】特開２０１０−０７１４５１号公報
【特許文献２】特許第４０５８２９８号公報
【発明の概要】
【発明が解決しようとする課題】
【０００９】
近年、長周期振動の地震にも対応できるように、免震装置に利用されるダンパのストローク長は長くなる傾向にあり、それに合わせて切替ロッドの軸方向長さも長くなる傾向にある。
【００１０】
切替ロッドが変形すると、ピストンの円滑な移動が妨げられるので、切替ロッドの外周に溝を形成する際には、切替ロッドが変形しないように配慮しつつ加工する必要がある。しかし、前述のように切替ロッドの軸方向長さが長くなると変形し易くなるので、溝を形成する際の加工難易度が高くなり、バイパス路を形成するのが困難になる。
【００１１】
また、溝によりバイパス路を形成しているので、切替ロッドの外周に軸方向に長い溝を形成しなければならない。この場合、切替ロッドの外周に溝による段差ができるとともに、他の部分よりも一段低い溝の部分が軸方向の広範囲に存在するので、溝のある部分から溝のない部分へピストンが移動する際、溝の縁にピストンが引っ掛かり易い。
【００１２】
そこで、本発明は、上記不具合を解消するために創案されたものであり、切替ロッドを利用しピストン位置に依存して減衰係数を切り換える場合であっても、切替ロッドにバイパス路を形成するための加工が容易で、ピストンの切替ロッドへの引っ掛かりを抑制できるダンパの提供を目的とする。
【課題を解決するための手段】
【００１３】
前記課題を解決するための第一の手段は、ダンパが、シリンダ内を伸側室と圧側室に区画するピストンと、前記ピストンに形成されて前記伸側室と前記圧側室との間を移動する液体の流れに抵抗を与える減衰通路と、前記ピストンに形成された挿通孔に摺動自在に挿通される切替ロッドとを備え、前記切替ロッドは、その内部に前記伸側室と前記圧側室とを連通可能なバイパス路を有し、前記ピストンが所定のストローク範囲内を移動する場合に前記バイパス路の連通を許容し、前記ピストンが前記所定のストローク範囲を超えてストロークエンド側を移動する場合に前記バイパス路の連通を遮断することである。
【００１４】
当該構成によれば、挿通孔に挿通された切替ロッドに対して摺動するピストンの位置によって、切替ロッドの内部に形成されたバイパス路の連通／遮断が切り換わる。このように、バイパス路が切替ロッドの内部を通るので、例えば、深穴加工又は中空パイプを利用してバイパス路を形成できる。よって、切替ロッドが長くても切替ロッドにバイパス路を容易に形成できる。また、切替ロッドの側面にバイパス路の開口が形成されても、当該開口の径は従来の溝と比較して格段に小さく、ピストンが引っ掛かり難い。
【００１５】
なお、前記ダンパでは、前記切替ロッドが一対設けられており、一方の前記切替ロッドに形成された前記バイパス路の連通が許容される前記所定のストローク範囲は、前記ピストンの中立位置よりも伸側のストロークエンド側に設定されるとともに、前記中立位置に前記ピストンがある場合に、前記ピストンの圧側室側の面が当該所定のストローク範囲から圧側のストロークエンド側へ逸脱する位置にあるように設定され、他方の前記切替ロッドに形成された前記バイパス路の連通が許容される前記所定のストローク範囲は、前記中立位置よりも圧側のストロークエンド側に設定されるとともに、前記中立位置に前記ピストンがある場合に、前記ピストンの伸側室側の面が当該所定のストローク範囲から伸側のストロークエンド側へ逸脱する位置にあるように設定されるとしてもよい。当該構成によれば、ダンパの動き出しの減衰力を大きくできる。このため、当該ダンパを免震装置に利用した場合、強風等により制振対象が揺れるのを抑制できる。
【００１６】
また、前記ダンパでは、前記切替ロッドが一対設けられ、一方の前記切替ロッドに形成された前記バイパス路が前記伸側室から前記圧側室へ向かう液体の流れに抵抗を与えるとともに、逆向きの流れを阻止する伸側バイパス路であるとともに、他方の前記切替ロッドに形成された前記バイパス路が前記圧側室から前記伸側室へ向かう液体の流れに抵抗を与えるとともに逆向きの流れを阻止する圧側バイパス路であってもよい。当該構成によれば、ピストンが所定のストローク範囲にある場合の伸側減衰力と圧側減衰力を個別に設定できる。
【００１７】
また、前記ダンパでは、前記バイパス路が、メイン通路と、前記メイン通路の一端に連なる第一サブ通路と、前記メイン通路の他端に連なる第二サブ通路とを有して構成されており、前記第一サブ通路と前記第二サブ通路を液体が通過する際の抵抗は、前記メイン通路を液体が通過する際の抵抗よりも大きく設定されており、前記切替ロッドは、前記ピストンが伸側のストロークエンド側であって前記所定のストローク範囲における一方の端部へ移動する場合、前記メイン通路と前記第一サブ通路を介して 前記伸側室と前記圧側室とを連通し、前記ピストンが圧側のストロークエンド側であって前記所定のストローク範囲における他方の端部へ移動する場合、前記メイン通路と前記第二サブ通路を介して 前記伸側室と前記圧側室とを連通し、前記ピストンが前記所定のストローク範囲における前記一方の端部と前記他方の端部との間を移動する場合、前記メイン通路を介して 前記伸側室と前記圧側室とを連通するとしてもよい。当該構成によれば、ピストンのストロークエンド側への移動量が大きくなった場合の減衰力を段階的に大きくできる。
【００１８】
また、メイン通路、第一サブ通路、及び第二サブ通路を有して構成される前記バイパス路を備えた前記ダンパでは、前記切替ロッドが一対設けられ、一方の前記切替ロッドに形成された前記第一サブ通路が前記伸側室から前記メイン通路へ向かう液体の流れのみを許容し、他方の前記切替ロッドに形成された前記第一サブ通路が前記メイン通路から前記伸側室へ向かう液体の流れのみを許容し、一方の前記切替ロッドに形成された前記第二サブ通路が前記圧側室から前記メイン通路へ向かう液体の流れのみを許容し、他方の切替ロッドに形成された前記第二サブ通路が前記メイン通路から前記圧側室へ向かう液体の流れのみを許容するとよい。当該構成によれば、ピストンが所定のストローク範囲における両端部にある場合の伸側減衰力と圧側減衰力を個別に設定できる。
【００１９】
また、前記ダンパでは、前記ロッドが前記ピストンの片側から前記シリンダ外へ突出して片ロッド型に設定されており、内部に液体が貯留される液溜室が形成されるタンクと、前記液溜室から前記圧側室へ向かう液体の流れのみを許容する吸込通路と、前記液溜室から前記圧側室へ向かう液体の流れに抵抗を与える排出通路とを備えるとよい。当該構成によれば、ダンパが軸方向に嵩張るのを抑制し、ダンパの搭載性を良好にできる。
【発明の効果】
【００２０】
本発明のダンパによれば、切替ロッドを利用しピストン位置に依存して減衰係数を切り換える場合であっても、従来の切替ロッドの外周に形成された溝によりバイパス路を形成する場合と比較して、切替ロッドが長くても切替ロッドにバイパス路を形成するための加工が容易となる。また、バイパス路が切替ロッドの内部に形成されるので、ピストンの切替ロッドへの引っ掛かりを抑制できる。
【図面の簡単な説明】
【００２１】
【図１】本発明の第一の実施の形態に係るダンパの取付状態を示した正面図である。
【図２】本発明の第一の実施の形態に係るダンパの縦断面を示した概略図である。
【図３】本発明の第二の実施の形態に係るダンパの縦断面を示した概略図である。
【図４】本発明の第三の実施の形態に係るダンパの縦断面を示した概略図である。
【図５】本発明の第四の実施の形態に係るダンパの縦断面を示した概略図である。
【図６】図５に示すダンパの変形例に係るダンパの縦断面を示した概略図である。
【発明を実施するための形態】
【００２２】
以下に本発明の実施の形態について、図面を参照しながら説明する。いくつかの図面を通して付された同じ符号は、同じ部品か対応する部品を示す。
【００２３】
＜第一の実施の形態＞
図１に示すように、本発明の第一の実施の形態に係るダンパＤ１は、免震装置に利用されている。免震装置は、制振対象である構造物Ｓと地盤Ｇとの間に介装されて、構造物Ｓの重量を支えつつ構造物Ｓの水平方向への移動を許容するアイソレータＩと、構造物Ｓの水平方向の移動を抑制する横置き型のダンパＤ１とを備える。このため、地震により地盤Ｇが揺れると当該揺れをアイソレータＩで吸収し、構造物Ｓに伝わる揺れを軽減できるとともに、ダンパＤ１で構造物Ｓが揺れ続けるのを防止できる。
【００２４】
なお、図１に示すアイソレータＩは、鋼板と、弾性を有するゴムとを交互に積層させた積層ゴムであるが、ボールアイソレータ等であってもよく、アイソレータの構成は適宜変更できる。
【００２５】
つづいて、ダンパＤ１は、図２に示すように、シリンダ１と、シリンダ１の外周に設けた有底筒状の外筒２と、シリンダ１内に摺動自在に挿入されるピストン３と、先端がピストン３に連結されて末端がシリンダ１外へ突出するロッド４と、シリンダ１の一方側開口部に設けられ、ロッド４を摺動自在に軸支するヘッド部材５と、シリンダ１と外筒２の底部２ａとの間に挟まれて固定されたボトム部材６と、ピストン３を摺動自在に貫通し、シリンダ１の軸方向に沿って延びる切替ロッド７とを備える。
【００２６】
シリンダ１外へ突出したロッド４の末端と、外筒２の底部２ａには、それぞれ取付部材４０，２０が取り付けられている。図１に示すように、ロッド４は取付部材４０を介して地盤Ｇに連結される一方、シリンダ１は外筒２と取付部材２０を介して構造物Ｓに連結されている。このため、地震等の影響で、地盤Ｇが構造物Ｓに対して水平方向に揺れたり、風等の影響で、構造物Ｓが地盤に対して水平方向に揺れたりすると、ロッド４がシリンダ１に出入りしてダンパＤ１が伸縮する。
【００２７】
なお、ダンパＤ１の取付方法は、図示する限りではなく、適宜変更できる。例えば、ロッド４が構造物Ｓに連結されるとともに、シリンダ１が地盤Ｇに連結されていてもよい。また、ダンパＤ１の利用目的も免震装置に限定されず、適宜変更できる。
【００２８】
つづいて、図２に示すように、シリンダ１内には、ピストン３で仕切られた二つの部屋が形成されており、それぞれの部屋に作動油等の液体が充填されている。これら二つの部屋のうち、ダンパＤ１の伸長時にピストン３で圧縮される方の部屋が伸側室Ｒ１、ダンパＤ１の収縮時にピストン３で圧縮される方の部屋が圧側室Ｒ２である。
【００２９】
本実施の形態において、ダンパＤ１は片ロッド型であり、ロッド４が伸側室Ｒ１のみを通ってシリンダ１外へ延びる。図示を省略するが、ヘッド部材５の内周と外周には、それぞれシールが装着されており、当該ヘッド部材５により図２中左側に形成されるシリンダ１の開口と、外筒２の開口を液密に塞ぐ。
【００３０】
また、シリンダ１外には、外筒２との間に液体が貯留されており、液溜室Ｒ３が形成されている。当該液溜室Ｒ３の液面上方には、気体が封入されて気室Ａが形成されている。気室Ａには、圧縮気体が封入されており、タンクＴ内の圧力でシリンダ１内を加圧できるようになっている。
【００３１】
なお、本実施の形態では、シリンダ１の外周に外筒２を設け、これらで内部に液体を貯留するタンクＴを構成するが、タンクの構成は適宜変更できる。例えば、タンクがシリンダと別置き型となっていて、これらが横並びに配置されるとしてもよい。また、タンクとシリンダが縦並びに配置され、これらが一体形成されていてもよい。
【００３２】
つづいて、ピストン３は、図示しないボルト等の利用によりロッド４の軸回りに回転可能に取り付けられており、伸側室Ｒ１と圧側室Ｒ２とを区画する。ピストン３には、伸側室Ｒ１と圧側室Ｒ２とを連通する伸側通路３ａ及び圧側通路３ｂが形成されている。
【００３３】
伸側通路３ａには、伸側バルブＶ１が設けられており、当該伸側バルブＶ１により伸側通路３ａを伸側室Ｒ１から圧側室Ｒ２へ向かう液体の流れに抵抗を与えるとともに、逆向きの流れを阻止する。その一方、圧側通路３ｂには、圧側バルブＶ２が設けられており、当該圧側バルブＶ２により圧側通路３ｂを圧側室Ｒ２から伸側室Ｒ１へ向かう液体の流れに抵抗を与えるとともに、逆向きの流れを阻止する。
【００３４】
このように、本実施の形態では、伸側通路３ａと圧側通路３ｂとで伸側室Ｒ１と圧側室Ｒ２との間を移動する液体の流れに抵抗を与える減衰通路を構成する。当該構成によれば、伸側室Ｒ１から圧側室Ｒ２へ向かう液体の流れに与える抵抗と、圧側室Ｒ２から伸側室Ｒ１へ向かう液体に流れる抵抗を個別に設定できる。よって、ダンパＤ１の減衰力を伸長時と収縮時とで個別に設定できる。しかし、減衰通路が双方向流れを許容する通路であってもよい。
【００３５】
また、ピストン３には、当該ピストン３を軸方向に貫通する挿通孔３ｃが形成されており、当該挿通孔３ｃに切替ロッド７が摺動自在に挿通されている。より詳しくは、挿通孔３ｃの壁面に切替ロッド７の外周が摺接する。このため、挿通孔３ｃが切替ロッド７で塞がれた状態となる。
【００３６】
前述のように、ピストン３はロッド４の軸回りに回転可能である。よって、外力によりロッド４がシリンダ１に対してねじり方向に回転しても、ピストン３がロッド４とともに回転しようとして切替ロッド７に大きな負荷がかかるのを防止できる。なお、ロッド４の軸回りの回転が阻止されている場合には、ピストン３とロッド４の回転が阻止されていてもよい。
【００３７】
切替ロッド７は、シリンダ１の軸方向に沿って配置されるとともに、両端がヘッド部材５とボトム部材６に支持されて、シリンダ１に対して少なくとも軸方向へ動かないように固定される。本実施の形態において、切替ロッド７の外周形状は略真円である。このため、切替ロッド７及び挿通孔３ｃの形成が容易である。しかし、切替ロッド７において、ピストン３に摺接する摺動部の外周形状は、軸方向に一定であればよく、真円以外の形状であってもよい。
【００３８】
また、切替ロッド７には、切替ロッド７の内部を通り、両端が切替ロッド７の側部の軸方向にずらした位置に開口するバイパス路７０が形成されている。当該バイパス路７０は、切替ロッド７の軸心部に軸方向に沿って形成される縦孔ｈ１と、縦孔ｈ１の伸側室Ｒ１側の端部に交わり、切替ロッド７を径方向に貫通する横孔ｈ２と、縦孔ｈ１の圧側室Ｒ２側の端部に交わり、切替ロッド７を径方向に貫通する横孔ｈ３とを有して構成されている。
【００３９】
バイパス路７０の両端開口のうち、伸側室Ｒ１側の開口を伸側開口ｘ、圧側室Ｒ２側の開口を圧側開口ｙとすると、切替ロッド７の側部に形成される伸側室側の横孔ｈ２の開口が伸側開口ｘ、圧側室側の横孔ｈ３の開口が圧側開口ｙであり、これらはピストン３で開閉される。そして、伸側開口ｘと圧側開口ｙの間隔は、挿通孔３ｃの軸方向長さよりも長く、伸側開口ｘと圧側開口ｙが同時にピストン３で塞がれないようになっている。
【００４０】
また、伸側開口ｘと圧側開口ｙは、ピストン３が中立位置にある場合、当該ピストン３の両側に配置される位置に形成されている。さらに、伸側開口ｘは、ピストン３が伸側のストロークエンドに達する前にピストン３で塞がれる、又はピストン３が通過する位置に形成されている。その一方、圧側開口ｙは、ピストン３が圧側のストロークエンドに達する前にピストン３で塞がれる、又はピストン３が通過する位置に形成されている。
【００４１】
図２中、ピストン３の左端が伸側開口ｘの左端に重なり、当該伸側開口ｘを塞ぐ位置を位置Ｅ１ｘとし、ピストン３の右端が圧側開口ｙの右端に重なり、当該圧側開口ｙを塞ぐ位置を位置Ｅ１ｙとし、これら位置Ｅ１ｘと位置Ｅ１ｙとの間であって、これら位置Ｅ１ｘ，Ｅ１ｙを含まない範囲をストローク範囲Ｅ１とする。
【００４２】
すると、ピストン３の全て（図２中、左端から右端まで）がストローク範囲Ｅ１にある場合、バイパス路７０が伸側開口ｘを通じて伸側室Ｒ１に連通し、圧側開口ｙを通じて圧側室Ｒ２に連通する。この場合、バイパス路７０を介して伸側室Ｒ１と圧側室Ｒ２とが連通されるので、液体がバイパス路７０を通って伸側室Ｒ１と圧側室Ｒ２との間を行き来できる。
【００４３】
このように、バイパス路７０を介して伸側室Ｒ１と圧側室Ｒ２が連通された状態が、バイパス路７０の連通が許容された状態である。そして、バイパス路７０の連通が許容されるストローク範囲Ｅ１は、バイパス路７０の伸側開口ｘと圧側開口ｙの位置により、予め決められた所定のストローク範囲である。
【００４４】
しかし、ピストン３の一部又は全部がストローク範囲（所定のストローク範囲）Ｅ１を超えて伸側のストロークエンド側（図２中左側）へ移動したり、ストローク範囲Ｅ１を超えて圧側のストロークエンド側（図２中右側）へ移動したりすると、バイパス路７０を介した伸側室Ｒ１と圧側室Ｒ２との連通が遮断される。このように、バイパス路７０を介した伸側室Ｒ１と圧側室Ｒ２との連通が遮断された状態が、バイパス路７０の連通が遮断された状態である。
【００４５】
なお、本実施の形態において、ピストン３の中立位置とは、ダンパＤ１が最伸長状態から最収縮状態になるまでにピストン３がストロークする範囲（可動範囲）の中央のことである。しかし、ピストン３の中立位置とは、厳密なストローク範囲の中央でなくてもよく、適宜設定できる。
【００４６】
また、ピストン３の伸側のストロークエンドとは、シリンダ１内をピストン３が伸側室Ｒ１を圧縮する方向へ進んだ場合の移動限界であり、ピストン３の圧側のストロークエンドとは、シリンダ１内をピストン３が圧側室Ｒ２を圧縮する方向へ進んだ場合の移動限界である。そして、本実施の形態では、ピストン３がヘッド部材５に当接した位置が伸側のストロークエンドであり、ピストン３がボトム部材６に当接した位置が圧側のストロークエンドであるが、これらの位置も適宜変更できる。
【００４７】
また、本実施の形態では、図２中、ピストン３の挿通孔３ｃの左端が伸側開口ｘの左端に達し、当該ピストン３で伸側開口ｘを完全に塞ぐ位置を位置Ｅ１ｘとし、ピストン３の挿通孔３ｃの右端が圧側開口ｙの右端に達し、当該ピストン３で圧側開口ｙを完全に塞ぐ位置を位置Ｅ１ｙとしている。しかし、伸側開口ｘ又は圧側開口ｙをある程度塞いだ位置をストローク範囲Ｅ５の一端と他端としてもよい。
【００４８】
つづいて、ボトム部材６は、シリンダ１の図２中右端部に固定されており、圧側室Ｒ２と液溜室Ｒ３とを区画する。ボトム部材６には、圧側室Ｒ２と液溜室Ｒ３とを連通する吸込通路６ａと排出通路６ｂが形成されている。
【００４９】
吸込通路６ａには、チェックバルブＶ３が設けられており、吸込通路６ａを液溜室Ｒ３から圧側室Ｒ２へ向かう液体の流れを許容するとともに、逆向きの流れを阻止する。その一方、排出通路６ｂには、減衰バルブＶ４が設けられており、排出通路６ｂを圧側室Ｒ２から液溜室Ｒ３へ向かう液体の流れに抵抗を与えるとともに、逆向きの流れを阻止する。
【００５０】
以下、本実施の形態に係るダンパＤ１の作動について説明する。
【００５１】
ダンパＤ１の伸長時には、ピストン３がシリンダ１内を図２中左方へ移動して伸側室Ｒ１を圧縮するとともに圧側室Ｒ２を拡大する。すると、伸側室Ｒ１の液体が伸側バルブＶ１を押し開き、伸側通路３ａを通って圧側室Ｒ２へ移動する。さらに、ダンパＤ１の伸長時には、チェックバルブＶ３が開き、シリンダ１から退出したロッド体積分の液体が吸込通路６ａを通って液溜室Ｒ３から圧側室Ｒ２へ供給される。
【００５２】
伸側室Ｒ１から圧側室Ｒ２へ向かう液体の流れに対しては、伸側バルブＶ１で抵抗が与えられるので伸側室Ｒ１の圧力が高くなる。その一方、圧側室Ｒ２は液溜室Ｒ３に連通されるので、圧側室Ｒ２の圧力がタンクＴ内の圧力と等しくなる。このため、ダンパＤ１の伸長時には、伸側室Ｒ１の圧力が圧側室Ｒ２の圧力よりも高くなり、これらの差圧がピストン３に作用するので、伸長作動を妨げる減衰力が発生する。
【００５３】
反対に、ダンパＤ１が収縮する場合、ピストン３がシリンダ１内を図２中右方へ移動して圧側室Ｒ２を圧縮するとともに伸側室Ｒ１を拡大する。すると、圧側室Ｒ２の液体が圧側バルブＶ２と減衰バルブＶ４を押し開き、圧側通路３ｂと排出通路６ｂを通って伸側室Ｒ１と液溜室Ｒ３へ移動する。
【００５４】
圧側室Ｒ２から伸側室Ｒ１と液溜室Ｒ３へ向かう液体の流れに対しては、圧側バルブＶ２と減衰バルブＶ４でそれぞれ抵抗が与えられるので圧側室Ｒ２の圧力が高くなる。その一方、拡大する伸側室Ｒ１の圧力は低くなる。このため、ダンパＤ１の収縮時には、圧側室Ｒ２の圧力が伸側室Ｒ１の圧力よりも高くなり、これらの差圧がピストン３に作用するので、収縮作動を妨げる減衰力が発生する。
【００５５】
また、ダンパＤ１の伸縮時において、ピストン３がストローク範囲Ｅ１内を移動する場合、バイパス路７０の連通が許容されているので、伸側室Ｒ１と圧側室Ｒ２との間を移動する液体が、伸側通路３ａ及び圧側通路３ｂを迂回してバイパス路７０を移動できる。
【００５６】
よって、ダンパＤ１の伸縮時において、ピストン３がストローク範囲Ｅ１にある場合には、液体がバイパス路７０を通過する分、伸側通路３ａ及び圧側通路３ｂを通過する液体の流量が減るので、減衰係数が小さくなって、減衰力が小さくなる。
【００５７】
これに対して、ダンパＤ１の伸縮時において、ピストン３がストローク範囲Ｅ１を超えて両方のストロークエンド側（図２中、ストローク範囲Ｅ１よりも左側又は右側）へ移動した場合には、バイパス路７０の連通が遮断されるので、伸側室Ｒ１と圧側室Ｒ２との間を移動する液体は、伸側通路３ａ及び圧側通路３ｂを迂回できなくなる。
【００５８】
よって、ダンパＤ１の伸縮時において、ピストン３がストローク範囲Ｅ１からストロークエンド側へ逸脱した位置にある場合には、バイパス路７０の連通が遮断されて伸側通路３ａ及び圧側通路３ｂを通過する液体の流量が増えるので、減衰係数が大きくなって、減衰力が大きくなる。
【００５９】
以下、本実施の形態に係るダンパＤ１の作用効果について説明する。
【００６０】
本実施の形態において、ロッド４がピストン３の片側からシリンダ１外へ突出し、ダンパＤ１が片ロッド型になっている。そして、ダンパＤ１は、内部に液体が貯留される液溜室Ｒ３が形成されるタンクＴと、液溜室Ｒ３から圧側室Ｒ２へ向かう液体の流れのみを許容する吸込通路６ａと、圧側室Ｒ２から液溜室Ｒ３へ向かう液体の流れに抵抗を与える排出通路６ｂとを備える。
【００６１】
当該構成によれば、ダンパＤ１が片ロッド型であるので、ダンパＤ１が軸方向に嵩張らず、搭載性を良好にできる。さらに、ダンパＤ１を片ロッド型にしても、シリンダ１に出入りするロッド４の体積を液溜室Ｒ３で補償できる。なお、ダンパが両ロッド型になっていて、ロッドがピストンの両側からシリンダ外へ突出するとしてもよい。このような場合には、シリンダに出入りするロッドの体積補償を不要にできる。
【００６２】
また、本実施の形態において、ダンパＤ１は、シリンダ１と、少なくとも軸方向の一端がシリンダ１外へ突出するロッド４と、ロッド４の軸方向に貫通する挿通孔３ｃを有し、ロッド４に連結してシリンダ１内に移動可能に挿入されて、シリンダ１内を伸側室Ｒ１と圧側室Ｒ２とに区画するピストン３と、ピストン３に形成されて伸側室Ｒ１と圧側室Ｒ２との間を移動する液体の流れに抵抗を与える伸側通路（減衰通路）３ａ及び圧側通路（減衰通路）３ｂと、シリンダ１内に設けられてロッド４の軸方向に沿って配置されてピストン３の挿通孔３ｃに摺動自在に挿通する切替ロッド７とを備える。
【００６３】
そして、上記切替ロッド７は、その内部に伸側室Ｒ１と圧側室Ｒ２とを連通可能なバイパス路７０を有し、ピストン３がストローク範囲（所定のストローク範囲）Ｅ１内を移動する場合にバイパス路７０の連通を許容し、ピストン３がストローク範囲Ｅ１を超えてストロークエンド側を移動する場合にバイパス路７０の連通を遮断する。
【００６４】
上記構成によれば、バイパス路７０の連通が許容されるストローク範囲Ｅ１にピストン３がある場合には、伸側室Ｒ１と圧側室Ｒ２との間を行き来する液体の一部（全部であってもよい）が伸側通路３ａ及び圧側通路３ｂを迂回してバイパス路７０を通過できるようになり、その分、伸側通路３ａ及び圧側通路３ｂを移動する液体の流量が減少して減衰係数が小さくなる。
【００６５】
その一方、バイパス路７０の連通が遮断されるストローク範囲Ｅ１のストロークエンド側（図２中、ストローク範囲Ｅ１より左側又は右側）へピストン３が移動した場合には、伸側室Ｒ１と圧側室Ｒ２との間を行き来する液体が伸側通路３ａ及び圧側通路３ｂを迂回できなくなり、その分、伸側通路３ａ及び圧側通路３ｂを移動する液体の流量が増加して減衰係数が大きくなる。
【００６６】
このように、上記構成によれば、ピストン３がストローク範囲Ｅ１にある場合の減衰係数を小さくできるので、ダンパＤ１が小振幅で伸縮する場合の減衰力を小さくできる。加えて、ピストン３がストロークエンド側にある場合の減衰係数を大きくできるので、ダンパＤ１が大振幅で伸縮する場合の減衰力を大きくできる。
【００６７】
このため、ダンパＤ１を備える免震装置では、中小規模の地震が発生してダンパＤ１が小振幅で伸縮する場合の減衰係数を小さくして減衰力を小さく抑えられるので、アイソレータＩによる振動絶縁性を阻害せず、良好な免震効果を得られる。その一方、大地震の発生によりダンパＤ１の振幅が大きくなると減衰係数が大きくなるので、大きな減衰力で構造物Ｓの振幅が大きくなり過ぎて隣接する建物又は擁壁等に干渉するのを防止できる。
【００６８】
さらに、上記構成によれば、バイパス路７０が切替ロッド７の内部を通る。このため、中実棒に深穴加工を施したり、中空パイプを利用したりしてバイパス路７０を形成できる。当該方法によれば、切替ロッド７の軸方向長さが長くなってもバイパス路７０を容易に形成できる。
【００６９】
また、切替ロッド７の内部にバイパス路７０を形成した場合、バイパス路７０と伸側室Ｒ１及び圧側室Ｒ２とを連通するための開口（伸側開口ｘ、圧側開口ｙ）が切替ロッド７の側部に形成されるものの、当該開口の大きさは、従来の切替ロッドの外周に形成されたバイパス路形成用の溝と比較して格段に小さい。よって、切替ロッド７の側部にバイパス路７０の開口ができたとしても、開口の縁にピストン３が引っ掛かり難く、ピストン３の円滑な移動を妨げることがない。
【００７０】
つまり、上記構成によれば、切替ロッド７を利用しピストン位置に依存して減衰係数を切り換える場合であっても、切替ロッド７にバイパス路７０を形成するための加工が容易で、ピストン３の切替ロッド７への引っ掛かりを抑制できる。
【００７１】
さらに、従来のダンパのように、切替ロッドの外周に溝を形成してバイパス路を形成する場合、ピストンの引っ掛かりを抑制したり、切替ロッドの変形を抑制したりする観点から、溝の幅を自由に広げたり、溝の深さを自由に深くしたりはできない。よって、バイパス路を流れる液体の流量を増やしたい場合には、切替ロッドの周方向に複数の溝を形成するのが好ましい。しかし、流量を確保するため溝の数が増えると、溝ごとに公差範囲内の誤差が生じるので、バイパス路全体としての流路面積のバラツキが大きくなり、製品ごとの減衰性能のバラツキが大きくなる。
【００７２】
これに対して、本実施の形態におけるダンパＤ１によれば、バイパス路７０の流量を増やしたい場合には、切替ロッド７の内径（縦孔ｈ１の径）を大きくすればよく、そのようにしても切替ロッド７の外周形状は変化しない。このため、切替ロッド７に形成する縦孔ｈ１が一本でも流量の確保が可能であるので、従来のダンパと比較して、バイパス路７０の流路面積のバラツキを小さくし、製品ごとの減衰性能のバラツキを小さくできる。
【００７３】
なお、バイパス路７０を切替ロッド７の内部に形成する方法は、適宜変更できる。また、前述のように、中空パイプを利用してバイパス路を形成する場合には、中空パイプの両端に中実棒を接合すればよい。このような場合には、深穴加工をせずにバイパス路７０を切替ロッド７内に形成できる。また、中実棒に深穴加工でバイパス路を形成する場合には、切替ロッド７の外周に段差ができにくく、ピストン３の引っ掛かりを一層抑制できる。
【００７４】
また、図２に示すダンパＤ１では、切替ロッド７を一本のみ記載しているが、切替ロッド７の数は適宜変更できる。そして、切替ロッド７を複数設ける場合には、バイパス路７０の両端開口の位置を切替ロッド７ごとに軸方向にずらしてもよい。
【００７５】
＜第二の実施の形態＞
図３に示すように、本発明の第二の実施の形態に係るダンパＤ２では、切替ロッドを一対設け、切替ロッドごとにバイパス路の開口する位置を変えている点で第一の実施の形態と異なり、他の構成については同様である。そこで、以下、第一の実施の形態と異なる構成について詳細に説明し、共通の構成については同一符号を付して詳細な説明を省略する。
【００７６】
本実施の形態に係るダンパＤ２は、一対の切替ロッドを構成する第一切替ロッド７Ａと第二切替ロッド７Ｂとを備える。これら第一切替ロッド７Ａと第二切替ロッド７Ｂは、ピストン３に形成された挿通孔３ｃにそれぞれ摺動自在に挿通されている。
【００７７】
第一切替ロッド７Ａには、第一切替ロッド７Ａの内部を通り、両端が第一切替ロッド７Ａの側部の軸方向にずらした位置に開口する第一バイパス路７１が形成されている。同様に、第二切替ロッド７Ｂには、第二切替ロッド７Ｂの内部を通り、両端が第二切替ロッド７Ｂの側部の軸方向にずらした位置に開口する第二バイパス路７２が形成されている。
【００７８】
第一の実施の形態と同様に、第一バイパス路７１及び第二バイパス路７２の両端開口のうち、伸側室Ｒ１側の開口をそれぞれ伸側開口ｘ、圧側室Ｒ２側の開口をそれぞれ圧側開口ｙとすると、これらは全てピストン３で開閉され、シリンダ１内の軸方向にずれた位置に形成されている。より具体的には、図３中左側から順に、第一バイパス路７１の伸側開口ｘ、第二バイパス路７２の伸側開口ｘ、第一バイパス路７１の圧側開口ｙ、第二バイパス路７２の圧側開口ｙの順に配置されている。
【００７９】
そして、第一バイパス路７１の伸側開口ｘと圧側開口ｙの間隔と、第二バイパス路７２の伸側開口ｘと圧側開口ｙの間隔は、ともに挿通孔３ｃの軸方向長さよりも長く、伸側開口ｘと圧側開口ｙが同時にピストン３で塞がれないようになっている。
【００８０】
第一バイパス路７１の圧側開口ｙと第二バイパス路７２の伸側開口ｘは、ピストン３が中立位置にある場合、当該ピストン３で塞がれる位置に形成されている。また、第一バイパス路７１の伸側開口ｘは、ピストン３が伸側のストロークエンドに達する前にピストン３で塞がれる、又はピストン３が通過する位置に形成されている。その一方、第二バイパス路７２の圧側開口ｙは、ピストン３が圧側のストロークエンドに達する前にピストン３で塞がれる、又はピストン３が通過する位置に形成されている。
【００８１】
図３中、ピストン３の左端が第一バイパス路７１の伸側開口ｘの左端に重なり、当該伸側開口ｘを塞ぐ位置を位置Ｅ２ｘとし、ピストン３の右端が第一バイパス路７１の圧側開口ｙの右端に重なり、当該圧側開口ｙを塞ぐ位置を位置Ｅ２ｙとし、これら位置Ｅ２ｘと位置Ｅ２ｙとの間であって、これら位置Ｅ２ｘ，Ｅ２ｙを含まない範囲をストローク範囲Ｅ２とする。
【００８２】
当該ストローク範囲Ｅ２は、ピストン３の中立位置よりも伸側のストロークエンド側に設定されており、ピストン３が中立位置にある場合、当該ピストン３の図３中右端がストローク範囲Ｅ２から圧側のストロークエンド側（図３中右側）へ逸脱する位置にあるように設定されている（図３）。
【００８３】
また、図３中、ピストン３の左端が第二バイパス路７２の伸側開口ｘの左端に重なり、当該を塞ぐ位置を位置Ｅ３ｘとし、ピストン３の右端が第二バイパス路７２の圧側開口ｙの右端に重なり、当該圧側開口ｙを塞ぐ位置を位置Ｅ３ｙとし、これら位置Ｅ３ｘと位置Ｅ３ｙとの間であって、これら位置Ｅ３ｘ，Ｅ３ｙを含まない範囲をストローク範囲Ｅ３とする。
【００８４】
当該ストローク範囲Ｅ３は、ピストン３の中立位置の圧側のストロークエンド側に設定されており、ピストン３が中立位置にある場合、当該ピストン３の図３中左端がストローク範囲Ｅ３から伸側のストロークエンド側（図３中左側）へ逸脱する位置にあるように設定されている（図３）。
【００８５】
上記構成によれば、ピストン３がの全てがストローク範囲Ｅ２にある場合、第一バイパス路７１が伸側開口ｘを通じて伸側室Ｒ１に連通し、圧側開口ｙを通じて圧側室Ｒ２に連通する。この場合、第一バイパス路７１を介して伸側室Ｒ１と圧側室Ｒ２が連通されるので、液体が第一バイパス路７１を通って伸側室Ｒ１と圧側室Ｒ２との間を行き来できる。
【００８６】
このように、第一バイパス路７１を介して伸側室Ｒ１と圧側室Ｒ２が連通された状態が、第一バイパス路７１の連通が許容された状態である。そして、第一バイパス路７１の連通が許容されるストローク範囲Ｅ２は、第一バイパス路７１の伸側開口ｘと圧側開口ｙの位置により、予め決められた所定のストローク範囲である。
【００８７】
しかし、ピストン３の一部又は全部がストローク範囲（所定のストローク範囲）Ｅ２を超えて伸側のストロークエンド側（図３中左側）へ移動したり、ストローク範囲Ｅ２を超えて圧側のストロークエンド側（図３中右側）へ移動したりすると、第一バイパス路７１を介した伸側室Ｒ１と圧側室Ｒ２との連通が遮断される。このように、第一バイパス路７１を介した伸側室Ｒ１と圧側室Ｒ２との連通が遮断された状態が、第一バイパス路７１の連通が遮断された状態である。
【００８８】
つづいて、ピストン３の全てがストローク範囲Ｅ３にある場合、第二バイパス路７２が伸側開口ｘを通じて伸側室Ｒ１に連通し、圧側開口ｙを通じて圧側室Ｒ２に連通する。この場合、第二バイパス路７２を介して伸側室Ｒ１と圧側室Ｒ２が連通されるので、液体が第二バイパス路７２を通って伸側室Ｒ１と圧側室Ｒ２との間を行き来できる。
【００８９】
このように、第二バイパス路７２を介して伸側室Ｒ１と圧側室Ｒ２が連通された状態が、第二バイパス路７２の連通が許容された状態である。そして、第二バイパス路７２の連通が許容されるストローク範囲Ｅ３は、第二バイパス路７２の伸側開口ｘと圧側開口ｙの位置により、予め決められた所定のストローク範囲である。
【００９０】
しかし、ピストン３の一部又は全部がストローク範囲（所定のストローク範囲）Ｅ３を超えて伸側のストロークエンド側（図３中左側）へ移動したり、ストローク範囲Ｅ３を超えて圧側のストロークエンド側（図３中右側）へ移動したりすると、第二バイパス路７２を介した伸側室Ｒ１と圧側室Ｒ２との連通が遮断される。このように、第二バイパス路７２を介した伸側室Ｒ１と圧側室Ｒ２との連通が遮断された状態が、第二バイパス路７２の連通が遮断された状態である。
【００９１】
また、前述のように、ピストン３が中立位置にある場合、ピストン３の一部がストローク範囲Ｅ２，Ｅ３から逸脱するようになっている（図３）。このため、ピストン３が第一バイパス路７１の圧側開口ｙと第二バイパス路７２の伸側開口ｘを塞ぎつつ中立位置近傍を移動する場合、第一バイパス路７１及び第二バイパス路７２の連通が遮断された状態となる。
【００９２】
よって、ダンパＤ２の伸縮時においてピストン３が中立位置近傍にある場合、伸側室Ｒ１と圧側室Ｒ２との間を移動する液体は、伸側通路３ａ及び圧側通路３ｂを迂回できず、これらを通過する液体の流量が多いので、減衰係数が大きくなって、減衰力が大きくなる。
【００９３】
しかし、ピストン３の中立位置からの伸側のストロークエンド側への移動量がある程度大きくなり、ピストン３がストローク範囲Ｅ２内を移動する場合には、第一バイパス路７１の連通が許容される。よって、ダンパＤ２の伸縮時において、ピストン３がストローク範囲Ｅ２にある場合、伸側室Ｒ１と圧側室Ｒ２との間を移動する液体が、伸側通路３ａ及び圧側通路３ｂを迂回して第一バイパス路７１を移動できるようになる。
【００９４】
同様に、ピストン３の中立位置からの圧側のストロークエンド側への移動量がある程度大きくなり、ピストン３がストローク範囲Ｅ３内を移動する場合には、第二バイパス路７２の連通が許容される。よって、ダンパＤ２の伸縮時において、ピストン３がストローク範囲Ｅ３にある場合にも、伸側室Ｒ１と圧側室Ｒ２との間を移動する液体が、伸側通路３ａ及び圧側通路３ｂを迂回して第二バイパス路７２を移動できるようになる。
【００９５】
このように、ダンパＤ２の伸縮時において、ピストン３の中立位置からの移動量がある程度大きくなり、ピストン３がストローク範囲Ｅ２，Ｅ３にある場合には、液体が第一バイパス路７１又は第二バイパス路７２を通過する分、伸側通路３ａ及び圧側通路３ｂを通過する液体の流量が減るので、減衰係数が小さくなって、減衰力が小さくなる。
【００９６】
しかし、ピストン３の中立位置からの移動量がさらに大きくなって、ピストン３が両ストローク範囲Ｅ２，Ｅ３を超えてストロークエンド側（図３中、ストローク範囲Ｅ２よりも左側、又はストローク範囲Ｅ３よりも右側）へ移動した場合には、第一バイパス路７１及び第二バイパス路７２の連通が遮断される。
【００９７】
よって、ダンパＤ２の伸縮時において、ピストン３が両ストローク範囲Ｅ２，Ｅ３からストロークエンド側へ逸脱した位置にある場合には、伸側室Ｒ１と圧側室Ｒ２との間を移動する液体が伸側通路３ａ及び圧側通路３ｂを迂回できず、これらを通過する液体の流量が増えるので、減衰係数が大きくなって、減衰力が大きくなる。
【００９８】
以下、本実施の形態に係るダンパＤ２の作用効果について説明する。なお、第一の実施の形態のダンパＤ１と同様の構成については、同様の作用効果を有するので、ここでの詳細な説明を省略する。また、第一の実施の形態のダンパＤ１と同様の構成については同様の変更が可能であるので、これについての詳細な説明も省略する。
【００９９】
本実施の形態において、ダンパＤ２は、一対の切替ロッドとなる第一切替ロッド７Ａと第二切替ロッド７Ｂを備える。
【０１００】
そして、第一切替ロッド（一方の切替ロッド）７Ａに形成された第一バイパス路（バイパス路）７１の連通が許容されるストローク範囲（所定のストローク範囲）Ｅ２は、ピストン３の中立位置よりも伸側のストロークエンド側（図３中左側）であって、中立位置にあるピストン３がある場合に、ピストン３の圧側室Ｒ２側の面が当該ストローク範囲Ｅ２から圧側のストロークエンド側（図３中右側）へ逸脱する位置にあるように設定されている。
【０１０１】
その一方、第二切替ロッド（他方の切替ロッド）７Ｂに形成された第二バイパス路（バイパス路）７２の連通が許容されるストローク範囲（所定のストローク範囲）Ｅ３は、ピストン３の中立位置よりも圧側のストロークエンド側（図３中右側）であって、中立位置にあるピストン３がある場合に、ピストン３の伸側室Ｒ１側の面がが当該ストローク範囲Ｅ３から伸側のストロークエンド側（図３中左側）へ逸脱する位置に設定されている。
【０１０２】
上記構成によれば、ピストン３が中立位置近傍にある場合、第一バイパス路７１及び第二バイパス路７２の連通が遮断され、伸側室Ｒ１と圧側室Ｒ２との間を行き来する液体が伸側通路３ａ及び圧側通路３ｂを迂回できなくなるので、その分、伸側通路３ａ及び圧側通路３ｂを移動する液体の流量が増加して減衰係数が大きくなる。
【０１０３】
また、ピストン３が中立位置からある程度移動してストローク範囲Ｅ２，Ｅ３にある場合には、第一バイパス路７１又は第二バイパス路７２の連通が許容され、伸側室Ｒ１と圧側室Ｒ２との間を行き来する液体の一部（全部であってもよい）が伸側通路３ａ及び圧側通路３ｂを迂回して第一バイパス路７１又は第二バイパス路７２を移動できるので、その分、伸側通路３ａ及び圧側通路３ｂを移動する液体の流量が減少して減衰係数が小さくなる。
【０１０４】
しかし、ピストン３が両ストローク範囲Ｅ２，Ｅ３のストロークエンド側（図３中、ストローク範囲Ｅ２より左側、又はストローク範囲Ｅ３より右側）へ移動した場合には、第一バイパス路７１及び第二バイパス路７２の連通が遮断され、伸側室Ｒ１と圧側室Ｒ２との間を行き来する液体が伸側通路３ａ及び圧側通路３ｂを迂回できなくなるので、その分、伸側通路３ａ及び圧側通路３ｂを移動する液体の流量が増加して減衰係数が大きくなる。
【０１０５】
このように、上記構成によれば、ピストン３が中立位置近傍にある場合の減衰係数を大きくして、ダンパＤ２が微振幅で伸縮する場合の減衰力を大きくできる。このため、ダンパＤ２を備える免震装置では、ダンパＤ２の動き出しの減衰力を大きくできるので、強風等で構造物があおられた場合にダンパＤ２の大きな減衰力で構造物が揺れるのを抑制できる。
【０１０６】
また、ピストン３の中立位置からの移動量がある程度大きくなった場合の減衰係数を小さくできるので、ダンパＤ２が小振幅で伸縮する場合の減衰力を小さくできる。加えて、ピストン３がストロークエンド側にある場合の減衰係数を大きくできるので、ダンパＤ２が大振幅で伸縮する場合の減衰力を大きくできる。
【０１０７】
このため、ダンパＤ２を備える免震装置では、中小規模の地震が発生してダンパＤ２が小振幅で伸縮する場合の減衰係数を小さくして減衰力を小さく抑えられるので、アイソレータによる振動絶縁性を阻害せず、良好な免震効果を得られる。その一方、大地震の発生によりダンパＤ２の振幅が大きくなると減衰係数が大きくなるので、大きな減衰力で構造物の振幅が大きくなり過ぎて隣接する建物又は擁壁等に干渉するのを防止できる。
【０１０８】
さらに、上記構成によれば、ピストン３が中立位置よりも伸側のストロークエンド側のストローク範囲Ｅ２にある場合の減衰力と、ピストン３が中立位置よりも圧側のストロークエンド側のストローク範囲Ｅ３にある場合の減衰力を個別に調整できる。
【０１０９】
また、本実施の形態の第一バイパス路７１と第二バイパス路７２も第一の実施の形態のバイパス路７０と同様に、第一切替ロッド７Ａと第二切替ロッド７Ｂの内部を通る。このため、本実施の形態に係るダンパＤ２においても、ダンパＤ１と同様に、切替ロッドを利用しピストン位置に依存して減衰係数を切り換えても、第一バイパス路７１と第二バイパス路７２を形成するための加工が容易で、ピストン３の引っ掛かりを抑制できる。さらに、製品ごとの減衰性能のバラツキを抑制できる。
【０１１０】
なお、図３に示すダンパＤ２では、第一切替ロッド７Ａと第二切替ロッド７Ｂを一本ずつ記載しているが、各切替ロッドの数は適宜変更できる。また、第一バイパス路７１の両端開口と、第二バイパス路７２の両端開口が、シリンダ１の軸方向に交互に現れるように形成されているので、中立位置にあるピストン３が第一バイパス路７１の圧側開口ｙ又は第二バイパス路７２の伸側開口ｘを開放するまでの距離を短くできる。しかし、第一バイパス路７１の圧側開口ｙが第二バイパス路７２の伸側開口ｘとシリンダ１の軸方向における同じ位置か、それよりも伸側室Ｒ１側（図３中左側）にあってもよい。
【０１１１】
＜第三の実施の形態＞
図４に示すように、本発明の第三の実施の形態に係るダンパＤ３では、切替ロッドを一対設け、各切替ロッドに異なる種類のバイパス路を形成している点で第一の実施の形態と異なり、他の構成については同様である。そこで、以下、第一の実施の形態と異なる構成について詳細に説明し、共通の構成については同一符号を付して詳細な説明を省略する。
【０１１２】
本実施の形態に係るダンパＤ３は、一対の切替ロッドを構成する伸側切替ロッド８Ａと圧側切替ロッド８Ｂとを備える。これら伸側切替ロッド８Ａと圧側切替ロッド８Ｂは、ピストン３に形成された挿通孔３ｃにそれぞれ摺動自在に挿通されている。
【０１１３】
伸側切替ロッド８Ａには、当該伸側切替ロッド８Ａの内部を通り、両端が伸側切替ロッド８Ａの軸方向にずらした位置に開口する伸側バイパス路８０が形成されている。そして、当該伸側バイパス路８０には、伸側サブバルブＶ５が設けられ、当該伸側サブバルブＶ５により伸側バイパス路８０を伸側室Ｒ１から圧側室Ｒ２へ向かう液体の流れに抵抗を与えるとともに、逆向きの流れを阻止する。
【０１１４】
また、圧側切替ロッド８Ｂには、当該圧側切替ロッド８Ｂの内部を通り、両端が圧側切替ロッド８Ｂの軸方向にずらした位置に開口する圧側バイパス路８１が形成されている。そして、当該圧側バイパス路８１には、圧側サブバルブＶ６が設けられ、当該圧側サブバルブＶ６により圧側バイパス路８１を圧側室Ｒ２から伸側室Ｒ１へ向かう液体の流れに抵抗を与えるとともに、逆向きの流れを阻止する。
【０１１５】
第一の実施の形態と同様に、伸側バイパス路８０及び圧側バイパス路８１の両端開口のうち、伸側室Ｒ１側の開口をそれぞれ伸側開口ｘ、圧側室Ｒ２側の開口をそれぞれ圧側開口ｙとすると、これらは全てピストン３で開閉される。
【０１１６】
また、伸側バイパス路８０の伸側開口ｘと圧側バイパス路８１の伸側開口ｘは、シリンダ１内の軸方向の同じ位置に形成され、伸側バイパス路８０の圧側開口ｙと圧側バイパス路８１の圧側開口ｙは、シリンダ１内の軸方向の同じ位置に形成されている。そして、伸側開口ｘと圧側開口ｙの間隔は、挿通孔３ｃの軸方向長さよりも長く、伸側開口ｘと圧側開口ｙが同時にピストン３で塞がれないようになっている。
【０１１７】
伸側開口ｘと圧側開口ｙは、ピストン３が中立位置にある場合、それぞれピストン３の両側に配置され、当該ピストン３で塞がれない位置に形成されている。また、伸側開口ｘは、ピストン３が伸側のストロークエンドに達する前にピストン３で塞がれる、又はピストン３が通過する位置に形成されている。その一方、圧側開口ｙは、ピストン３が圧側のストロークエンドに達する前にピストン３で塞がれる、又はピストン３が通過する位置に形成されている。
【０１１８】
図４中、ピストン３の左端が伸側バイパス路８０及び圧側バイパス路８１の伸側開口ｘの左端に重なり、これら伸側開口ｘを塞ぐ位置を位置Ｅ４ｘとし、ピストン３の右端が伸側バイパス路８０及び圧側バイパス路８１の圧側開口ｙの右端に重なり、これら圧側開口ｙを塞ぐ位置を位置Ｅ４ｙとし、これら位置Ｅ４ｘと位置Ｅ４ｙとの間であって、これら位置Ｅ４ｘ，Ｅ４ｙを含まない範囲をストローク範囲Ｅ４とする。
【０１１９】
すると、ピストン３の全てがストローク範囲Ｅ４にある場合、伸側バイパス路８０及び圧側バイパス路８１が伸側開口ｘを通じて伸側室Ｒ１に連通し、圧側開口ｙを通じて圧側室Ｒ２に連通するので、伸側室Ｒ１と圧側室Ｒ２の差圧が伸側サブバルブＶ５及び圧側サブバルブＶ６に作用する。
【０１２０】
このため、ピストン３がストローク範囲Ｅ４にある場合にダンパＤ３が伸長作動を呈すると、ピストン３で圧縮される伸側室Ｒ１の圧力を受けて伸側サブバルブＶ５が開弁し、伸側バイパス路８０を伸側室Ｒ１から圧側室Ｒ２へ向けて液体が流れる。このように、伸側サブバルブＶ５が開弁し、伸側バイパス路８０を介して伸側室Ｒ１と圧側室Ｒ２が連通された状態が、伸側バイパス路８０の連通が許容された状態である。
【０１２１】
反対に、ピストン３がストローク範囲Ｅ４にある場合にダンパＤ３が収縮作動を呈すると、圧側室Ｒ２の圧力を受けて圧側サブバルブＶ６が開弁し、圧側バイパス路８１を圧側室Ｒ２から伸側室Ｒ１へ向けて液体が流れる。このように、圧側サブバルブＶ６が開弁し、圧側バイパス路８１を介して伸側室Ｒ１と圧側室Ｒ２が連通された状態が、圧側バイパス路８１の連通が許容された状態である。
【０１２２】
つまり、本実施の形態では、ピストン３がストローク範囲Ｅ４にある場合、ダンパＤ３の伸縮作動の方向に応じて伸側バイパス路８０又は圧側バイパス路８１の連通が許容される。そして、伸側バイパス路８０又は圧側バイパス路８１の連通が許容されるストローク範囲Ｅ４は、伸側バイパス路８０と圧側バイパス路８１の伸側開口ｘと圧側開口ｙの位置により、予め決められた所定のストローク範囲である。
【０１２３】
また、伸側室Ｒ１の圧力は、圧側サブバルブＶ６を閉弁させる方向へ作用し、圧側室Ｒ２の圧力は、伸側サブバルブＶ５を閉弁させる方向へ作用する。このため、ピストン３がストローク範囲（所定のストローク範囲）Ｅ４内にある場合であっても、ダンパＤ３が伸長作動を呈する場合には圧側サブバルブＶ６が閉弁した状態に維持されるとともに、ダンパＤ３が収縮作動を呈する場合には伸側サブバルブＶ５が閉弁した状態に維持される。
【０１２４】
さらに、ピストン３の一部又は全部がストローク範囲（所定のストローク範囲）Ｅ４を超えて伸側のストロークエンド側（図４中左側）へ移動したり、ストローク範囲Ｅ４を超えて圧側のストロークエンド側（図４中右側）へ移動したりした場合は、伸側室Ｒ１と圧側室Ｒ２の差圧が伸側サブバルブＶ５及び圧側サブバルブＶ６に作用せず、これらが閉弁した状態に維持される。
【０１２５】
そして、伸側サブバルブＶ５が閉弁した状態では、伸側バイパス路８０を介した伸側室Ｒ１と圧側室Ｒ２との連通が遮断され、圧側サブバルブＶ６が閉弁した状態では、圧側バイパス路８１を介した伸側室Ｒ１と圧側室Ｒ２との連通が遮断される。このように、伸側バイパス路８０及び圧側バイパス路８１による伸側室Ｒ１と圧側室Ｒ２との連通が遮断された状態が伸側バイパス路８０及び圧側バイパス路８１の連通が遮断された状態である。
【０１２６】
上記構成によれば、ダンパＤ３の伸長時において、ピストン３がストローク範囲Ｅ４内を図４中左方へ移動する場合、ピストン３で圧縮された伸側室Ｒ１の圧力を受けて伸側サブバルブＶ５が開弁し、伸側室Ｒ１から圧側室Ｒ２へ向かう液体が伸側通路３ａを迂回して伸側バイパス路８０を移動する。
【０１２７】
また、ダンパＤ３の収縮時において、ピストン３がストローク範囲Ｅ４内を図４中右方へ移動する場合、ピストン３で圧縮された圧側室Ｒ２の圧力を受けて圧側サブバルブＶ６が開弁し、圧側室Ｒ２から伸側室Ｒ１へ向かう液体が圧側通路３ｂを迂回して圧側バイパス路８１を移動する。
【０１２８】
よって、ダンパＤ３の伸縮時において、ピストン３がストローク範囲Ｅ４にある場合には、液体が伸側バイパス路８０又は圧側バイパス路８１を通過する分、伸側通路３ａ及び圧側通路３ｂを通過する液体の流量が減るので、減衰係数が小さくなって、減衰力が小さくなる。
【０１２９】
これに対して、ダンパＤ３の伸縮時において、ピストン３がストローク範囲Ｅ４を超えて両方のストロークエンド側（図４中、ストローク範囲Ｅ４よりも左側又は右側）へ移動した場合には、伸側バイパス路８０及び圧側バイパス路８１の連通が遮断されるので、伸側室Ｒ１と圧側室Ｒ２との間を移動する液体は、伸側通路３ａ及び圧側通路３ｂを迂回できなくなる。
【０１３０】
よって、ダンパＤ３の伸縮時において、ピストン３がストローク範囲Ｅ４からストロークエンド側へ逸脱した位置にある場合には、伸側通路３ａ及び圧側通路３ｂを通過する液体の流量が増えるので、減衰係数が大きくなって、減衰力が大きくなる。
【０１３１】
以下、本実施の形態に係るダンパＤ３の作用効果について説明する。なお、第一の実施の形態のダンパＤ１と同様の構成については、同様の作用効果を有するので、ここでの詳細な説明を省略する。また、第一の実施の形態のダンパＤ１と同様の構成については同様の変更が可能であるので、これについての詳細な説明も省略する。
【０１３２】
本実施の形態に係るダンパＤ３は、一対の切替ロッドとなる伸側切替ロッド８Ａと圧側切替ロッド８Ｂとを備える。そして、伸側切替ロッド（一方の切替ロッド）８Ａに形成されたバイパス路は、伸側室Ｒ１から圧側室Ｒ２へ向かう液体の流れに抵抗を与えるとともに、逆向きの流れを阻止する伸側バイパス路８０であり、圧側切替ロッド（他方の切替ロッド）８Ｂに形成されたバイパス路は、圧側室Ｒ２から伸側室Ｒ１へ向かう液体の流れに抵抗を与えるとともに、逆向きの流れを阻止する圧側バイパス路８１である。
【０１３３】
上記構成によれば、伸側バイパス路８０又は圧側バイパス路８１の連通が許容されるストローク範囲Ｅ４にピストン３がある場合には、伸側室Ｒ１と圧側室Ｒ２との間を行き来する液体の一部（全部であってもよい）が伸側通路３ａ及び圧側通路３ｂを迂回して伸側バイパス路８０又は圧側バイパス路８１を移動できるようになり、その分、伸側通路３ａ及び圧側通路３ｂを移動する液体の流量が減少して減衰係数が小さくなる。
【０１３４】
その一方、伸側バイパス路８０及び圧側バイパス路８１の連通が遮断されるストローク範囲Ｅ４のストロークエンド側（図４中、ストローク範囲Ｅ４よりも左側又は右側）へピストン３が移動した場合には、伸側室Ｒ１と圧側室Ｒ２との間を行き来する液体が伸側通路３ａ及び圧側通路３ｂを迂回できなくなり、その分、伸側通路３ａ及び圧側通路３ｂを移動する液体の流量が増加して減衰係数が大きくなる。
【０１３５】
このように、上記構成によれば、ピストン３がストローク範囲Ｅ４にある場合の減衰係数を小さくできるので、ダンパＤ３が小振幅で伸縮する場合の減衰力を小さくできる。加えて、ピストン３がストロークエンド側にある場合の減衰係数を大きくできるので、ダンパＤ３が大振幅で伸縮する場合の減衰力を大きくできる。
【０１３６】
このため、ダンパＤ３を備える免震装置では、中小規模の地震が発生してダンパが小振幅で伸縮する場合の減衰係数を小さくして減衰力を小さく抑えられるので、アイソレータによる振動絶縁性を阻害せず、良好な免震効果を得られる。その一方、大地震の発生によりダンパＤ３の振幅が大きくなると減衰係数が大きくなるので、大きな減衰力で構造物の振幅が大きくなり過ぎて隣接する建物又は盗癖等に干渉するのを防止できる。
【０１３７】
さらに、上記構成によれば、ピストン３がストローク範囲Ｅ４にある場合の伸側減衰力と圧側減衰力を個別に設定できる。そして、このようにしても伸側切替ロッド８Ａ及び圧側切替ロッド８Ｂに形成する縦孔の数を一本にできるので、伸側バイパス路８０及び圧側バイパス路８１の形成が容易であるとともに、伸側サブバルブＶ５、圧側サブバルブＶ６等のバルブの装着が容易である。
【０１３８】
また、本実施の形態の伸側バイパス路８０と圧側バイパス路８１も第一の実施の形態のバイパス路７０と同様に、伸側切替ロッド８Ａと圧側切替ロッド８Ｂの内部を通る。このため、本実施の形態に係るダンパＤ３においても、ダンパＤ１と同様に、切替ロッドを利用しピストン位置に依存して減衰係数を切り換えても、伸側バイパス路８０と圧側バイパス路８１を形成するための加工が容易で、ピストン３の引っ掛かりを抑制できる。さらに、製品ごとの減衰性能のバラツキを抑制できる。
【０１３９】
なお、図４に示すダンパＤ３では、伸側切替ロッド８Ａと圧側切替ロッド８Ｂを一本ずつ記載しているが、各切替ロッドの数は適宜変更できる。また、伸側バイパス路８０の両端開口と、圧側バイパス路８１の両端開口が、シリンダ１内の軸方向の同じ位置に形成されているが、これらの開口を軸方向にずらして形成してもよい。
【０１４０】
＜第四の実施の形態＞
図５に示すように、本発明の第四の実施の形態に係るダンパＤ４では、切替ロッドと、その切替ロッドに形成されるバイパス路の構成が第一の実施の形態と異なり、他の構成については同様である。そこで、以下、第一の実施の形態と異なる構成について詳細に説明し、共通の構成については同一符号を付して詳細な説明を省略する。
【０１４１】
本実施の形態に係るダンパＤ４は、一対の切替ロッド９Ａ，９Ｂを備える。これら切替ロッド９Ａ，９Ｂは、ピストン３に形成された挿通孔３ｃにそれぞれ摺動自在に挿通されている。
【０１４２】
一対の切替ロッド９Ａ，９Ｂには、切替ロッド９Ａ，９Ｂの内部を通り、両端が切替ロッド９Ａ，９Ｂの側部の軸方向にずれた位置に開口するバイパス路９０，９１がそれぞれ形成されている。
【０１４３】
第一の実施の形態と同様に、バイパス路９０，９１の両端開口のうち、伸側室Ｒ１側の開口をそれぞれ伸側開口ｘ、圧側室Ｒ２側の開口をそれぞれ圧側開口ｙとする。バイパス路９０，９１は、これら伸側開口ｘと圧側開口ｙの間にも一対の開口を有し、これら開口は切替ロッド９Ａ，９Ｂの側部の軸方向にずれた位置に形成されている。伸側開口ｘと圧側開口ｙの間に形成された一対の開口のうち、伸側室Ｒ１側の開口を伸側メイン開口ｘ１、圧側室Ｒ２側の開口を圧側メイン開口ｙ１とする。これらの開口は、全てピストン３で開閉される。
【０１４４】
また、バイパス路９０，９１において、伸側メイン開口ｘ１と圧側メイン開口ｙ１とを結ぶ通路がメイン通路９０ａ，９１ａ、伸側メイン開口ｘ１と伸側開口ｘとを結ぶ通路が第一サブ通路９０ｂ，９１ｂ、圧側メイン開口ｙ１と圧側開口ｙとを結ぶ通路が第二サブ通路９０ｃ，９１ｃである。
【０１４５】
そして、本実施の形態では、一方の切替ロッド９Ａの第一サブ通路９０ｂに、伸側第一サブバルブＶ７が設けられ、当該伸側第一サブバルブＶ７により第一サブ通路９０ｂを伸側室Ｒ１からメイン通路９０ａへ向かう液体の流れに抵抗を与えるとともに、逆向きの流れを阻止する。また、一方の切替ロッド９Ａの第二サブ通路９０ｃには、圧側第一サブバルブＶ８が設けられ、当該圧側第一サブバルブＶ８により圧側室Ｒ２からメイン通路９０ａへ向かう液体の流れに抵抗を与えるとともに、逆向きの流れを阻止する。
【０１４６】
その一方、他方の切替ロッド９Ｂの第一サブ通路９１ｂには、圧側第二サブバルブＶ９が設けられ、当該圧側第二サブバルブＶ９により第一サブ通路９１ｂをメイン通路９１ａから伸側室Ｒ１へ向かう液体の流れに抵抗を与えるとともに、逆向きの流れを阻止する。また、他方の切替ロッド９Ｂの第二サブ通路９１ｃには、伸側第二サブバルブＶ１０が設けられ、当該伸側第二サブバルブＶ１０により第二サブ通路９１ｃをメイン通路９１ａから圧側室Ｒ２へ向かう液体の流れに抵抗を与えるとともに、逆向きの流れを阻止する。
【０１４７】
つづいて、メイン通路９０ａ，９１ａの両端開口となる伸側メイン開口ｘ１と圧側メイン開口ｙ１の間隔は、ともに挿通孔３ｃの軸方向長さよりも長く、伸側メイン開口ｘ１と圧側メイン開口ｙ１が同時にピストン３で塞がれないようになっている。
【０１４８】
そして、ピストン３が中立位置にある場合、伸側開口ｘと圧側開口ｙ、及び伸側メイン開口ｘ１と圧側メイン開口ｙ１は、それぞれピストン３の両側に配置され、当該ピストン３で塞がれない位置に形成されている。
【０１４９】
また、伸側メイン開口ｘ１と伸側開口ｘは、ピストン３が伸側のストロークエンドに達する前にピストン３で塞がれる、又はピストン３が通過する位置に形成されている。ピストン３が中立位置にある場合、伸側メイン開口ｘ１は伸側開口ｘよりもピストン３に近い位置にあるので、ピストン３が中立位置から伸側のストロークエンド側へ移動すると、まずピストン３で伸側メイン開口ｘ１が塞がれ、その後に伸側開口ｘが塞がれる。
【０１５０】
その一方、圧側メイン開口ｙ１と圧側開口ｙは、ピストン３が圧側のストロークエンドに達する前にピストン３で塞がれる、又はピストン３が通過する位置に形成されている。ピストン３が中立位置にある場合、圧側メイン開口ｙ１は圧側開口ｙよりもピストン３に近い位置にあるので、ピストン３が中立位置から圧側のストロークエンド側へ移動すると、まずピストン３で圧側メイン開口ｙ１が塞がれ、その後に圧側開口ｙが塞がれる。
【０１５１】
図５中、ピストン３の左端が伸側開口ｘの左端に重なり、当該伸側開口ｘを塞ぐ位置を位置Ｅ５ｘとし、ピストン３の右端が圧側開口ｙの右端に重なり、当該圧側開口ｙを塞ぐ位置を位置Ｅ５ｙとし、これら位置Ｅ５ｘと位置Ｅ５ｙの間であって、これら位置Ｅ５ｘ，Ｅ５ｙを含まない範囲をストローク範囲Ｅ５とする。
【０１５２】
また、図５中、ピストン３の左端が伸側メイン開口ｘ１の左端に重なり、当該伸側メイン開口ｘ１を塞ぐ位置を位置Ｅ５ｘ１とし、ピストン３の右端が圧側メイン開口ｙ１の右端に重なり、当該圧側メイン開口ｙ１を塞ぐ位置を位置Ｅ５ｙ１とし、ストローク範囲Ｅ５における位置Ｅ５ｘ１と位置Ｅ５ｙ１との間であって、これら位置Ｅ５ｘ１，Ｅ５ｙ１を含まない範囲をストローク範囲Ｅ５の中央部Ｅ５ａとし、ストローク範囲Ｅ５における位置Ｅ５ｘ１，Ｅ５ｙ１よりもストロークエンド側であって、これら位置Ｅ５ｘ１，Ｅ５ｙ１を含む範囲をストローク範囲Ｅ５の両端部Ｅ５ｂ，Ｅ５ｃとする。
【０１５３】
すると、ピストン３の全てが所定のストローク範囲Ｅ５における中央部Ｅ５ａにある場合、メイン通路９０ａ，９１ａが伸側メイン開口ｘ１を通じて伸側室Ｒ１に連通し、圧側メイン開口ｙ１を通じて圧側室Ｒ２に連通する。この場合、メイン通路９０ａ，９１ａを介して伸側室Ｒ１と圧側室Ｒ２が連通されるので、液体がメイン通路９０ａ，９１ａを通って伸側室Ｒ１と圧側室Ｒ２との間を行き来できる。
【０１５４】
また、ピストン３の少なくとも一部がストローク範囲Ｅ５における伸側のストロークエンド側の端部Ｅ５ｂを移動する場合であって、ダンパＤ４が伸長作動を呈する場合には、ピストン３で圧縮される伸側室Ｒ１の圧力を受けて伸側第一サブバルブＶ７が開弁し、伸側室Ｒ１の液体が切替ロッド９Ａの第一サブ通路９０ｂとメイン通路９０ａをこの順に通り、圧側メイン開口ｙ１から圧側室Ｒ２へ移動する。
【０１５５】
反対に、ピストン３の少なくとも一部がストローク範囲Ｅ５における伸側のストロークエンド側の端部Ｅ５ｂを移動する場合であって、ダンパＤ４が収縮作動を呈する場合には、ピストン３で圧縮される圧側室Ｒ２の圧力を受けて圧側第二サブバルブＶ９が開弁し、圧側室Ｒ２の液体が切替ロッド９Ｂのメイン通路９１ａと第一サブ通路９０ｂをこの順に通り、伸側開口ｘから伸側室Ｒ１へ移動する。
【０１５６】
また、ピストン３の少なくとも一部がストローク範囲Ｅ５における圧側のストロークエンド側の端部Ｅ５ｃを移動する場合であって、ダンパＤ４が伸長作動を呈する場合には、ピストン３で圧縮される伸側室Ｒ１の圧力を受けて伸側第二サブバルブＶ１０が開弁し、伸側室Ｒ１の液体が切替ロッド９Ｂのメイン通路９１ａと第二サブ通路９１ｃをこの順に通り、圧側開口ｙから圧側室Ｒ２へ移動する。
【０１５７】
反対に、ピストン３の少なくとも一部がストローク範囲Ｅ５における圧側のストロークエンド側の端部Ｅ５ｃにある場合であって、ダンパＤ４が収縮作動を呈する場合には、ピストン３で圧縮される圧側室Ｒ２の圧力を受けて圧側第一サブバルブＶ８が開弁し、圧側室Ｒ２の液体が切替ロッド９Ａの第二サブ通路９０ｃとメイン通路９０ａをこの順に通り、伸側メイン開口ｘ１から伸側室Ｒ１へ移動する。
【０１５８】
つまり、ピストン３の全てがストローク範囲Ｅ５にある場合、ピストン３の位置に応じてバイパス路９０，９１における液体が通過する通路が変わるものの、バイパス路９０，９１を介して伸側室Ｒ１と圧側室Ｒ２が連通される。このように、バイパス路９０，９１を介して伸側室Ｒ１と圧側室Ｒ２が連通された状態が、バイパス路９０，９１の連通が許容された状態である。
【０１５９】
そして、バイパス路９０，９１の連通が許容されるストローク範囲Ｅ５は、バイパス路９０，９１の伸側開口ｘと圧側開口ｙの位置により、予め決められた所定のストローク範囲である。また、ストローク範囲Ｅ５における中央部Ｅ５ａと両端部Ｅ５ｂ，Ｅ５ｃとの境界は、メイン通路９０ａ，９１ａの伸側メイン開口ｘ１と圧側メイン開口ｙ１の位置により決められる。
【０１６０】
しかし、ピストン３の一部又は全部がストローク範囲（所定のストローク範囲）Ｅ５を超えて伸側のストロークエンド側（図５中左側）へ移動したり、ストローク範囲Ｅ５を超えて圧側のストロークエンド側（図５中右側）へ移動したりすると、バイパス路９０，９１を介した伸側室Ｒ１と圧側室Ｒ２との連通が遮断される。このように、バイパス路９０，９１を介した伸側室Ｒ１と圧側室Ｒ２との連通が遮断された状態である。
【０１６１】
上記構成によれば、ダンパＤ４の伸縮時において、ピストン３がストローク範囲Ｅ５内を移動する場合、バイパス路９０，９１の連通が許容されるので、伸側室Ｒ１と圧側室Ｒ２との間を移動する液体が、伸側通路３ａ及び圧側通路３ｂを迂回してバイパス路９０，９１を移動できる。
【０１６２】
よって、ダンパＤ４の伸縮時において、ピストン３がストローク範囲Ｅ５にある場合には、液体がバイパス路９０，９１を通過する分、伸側通路３ａ及び圧側通路３ｂを通過する液体の流量が減るので、減衰係数が小さくなって、減衰力が小さくなる。
【０１６３】
なお、ピストン３がストローク範囲Ｅ５にある場合であって、中央部Ｅ５ａ内を移動する場合、バイパス路９０，９１を通過する液体は、メイン通路９０ａ，９１ａのみを通過して伸側室Ｒ１と圧側室Ｒ２との間を移動できる。液体は、当該メイン通路９０ａ，９１ａを比較的抵抗なく通過できる。
【０１６４】
しかし、ピストン３がストローク範囲Ｅ５にある場合であっても、両端部Ｅ５ｂ，Ｅ５ｃへ移動した場合には、第一サブ通路９０ｂ，９１ｂ又は第二サブ通路９０ｃ，９１ｃを通らなければバイパス路９０，９１を通過できない。そして、伸側第一サブバルブＶ７、圧側第一サブバルブＶ８、伸側第二サブバルブＶ１０、及び圧側第二サブバルブＶ９により、第一サブ通路９０ｂ，９１ｂ及び第二サブ通路９０ｃ，９１ｃを液体が通過する際の抵抗は、メイン通路９０ａを液体が通過する際の抵抗よりも大きく設定されている。
【０１６５】
このため、ダンパＤ４の伸縮時において、ピストン３がストローク範囲Ｅ５の両端部Ｅ５ｂ，Ｅ５ｃへ移動した場合、ピストン３がストローク範囲Ｅ５の中央部Ｅ５ａにある場合と比較して、バイパス路９０，９１を液体が通過する際の抵抗が大きくなるので、減衰係数が大きくなり、減衰力が大きくなる。
【０１６６】
さらに、ダンパＤ４の伸縮時において、ピストン３がストローク範囲Ｅ５を超えて両方のストロークエンド側（図５中、ストローク範囲Ｅ５よりも左側又は右側）へ移動した場合には、バイパス路９０，９１の連通が遮断されるので、伸側室Ｒ１と圧側室Ｒ２との間を移動する液体が、伸側通路３ａ及び圧側通路３ｂを迂回できなくなる。
【０１６７】
よって、ダンパＤ４の伸縮時において、ピストン３がストローク範囲Ｅ５からストロークエンド側へ逸脱した位置にある場合には、ピストン３がストローク範囲Ｅ５の両端部Ｅ５ｂ，Ｅ５ｃへ移動した場合よりもさらに減衰係数が大きくなって、減衰力がさらに大きくなる。
【０１６８】
以下、本実施の形態に係るダンパＤ４の作用効果について説明する。なお、第一の実施の形態のダンパＤ１と同様の構成については、同様の作用効果を有するので、ここでの詳細な説明を省略する。また、第一の実施の形態のダンパＤ１と同様の構成については同様の変更が可能であるので、これについての詳細な説明も省略する。
【０１６９】
本実施の形態において、バイパス路９０，９１は、メイン通路９０ａ，９１ａと、メイン通路９０ａ，９１ａの一端に連なる第一サブ通路９０ｂと、メイン通路９０ａ，９１ａの他端に連なる第二サブ通路９０ｃ，９１ｃとを有して構成されている。第一サブ通路９０ｂ，９１ｂと第二サブ通路９０ｃ，９１ｃを液体が通過する際の抵抗は、メイン通路９０ａ，９１ａを液体が通過する際の抵抗よりも大きく設定されている。
【０１７０】
そして、本実施の形態において、切替ロッド９Ａ，９Ｂは、ピストン３が伸側のストロークエンド側であってストローク範囲（所定のストローク範囲）Ｅ５における一方の端部Ｅ５ｂへ移動する場合、メイン通路９０ａ，９１ａと第一サブ通路９０ｂ，９１ｂを介して伸側室Ｒ１と圧側室Ｒ２とを連通し、ピストン３が圧側のストロークエンド側であってストローク範囲（所定のストローク範囲）Ｅ５における他方の端部Ｅ５ｃへ移動する場合、メイン通路９０ａ，９１ａと第二サブ通路９０ｃ，９１ｃを介して伸側室Ｒ１と圧側室Ｒ２とを連通し、ピストン３がストローク範囲（所定のストローク範囲）Ｅ５における中間部（一方の端部Ｅ５ｂと他方の端部Ｅ５ｃとの間）Ｅ５ａを移動する場合、メイン通路９０ａ，９１ａを介して伸側室Ｒ１と圧側室Ｒ２とを連通する。
【０１７１】
上記構成によれば、バイパス路９０，９１の連通が許容されるストローク範囲Ｅ５にピストン３がある場合には、伸側室Ｒ１と圧側室Ｒ２との間を行き来する液体の一部（全部であってもよい）が伸側通路３ａ及び圧側通路３ｂを迂回してバイパス路９０，９１を通過できるようになり、その分、伸側通路３ａ及び圧側通路３ｂを移動する液体の流量が減少して減衰係数が小さくなる。
【０１７２】
しかし、バイパス路９０，９１の連通が許容されるストローク範囲Ｅ５にピストン３がある場合であっても、当該ストローク範囲Ｅ５の中央部Ｅ５ａにピストン３がある場合と比較して、ストローク範囲Ｅ５の両端部Ｅ５ｂ，Ｅ５ｃへピストン３が移動した場合の方が、バイパス路９０，９１を液体が通過する際の抵抗が大きくなる。このため、ピストン３がストローク範囲Ｅ５の両端部Ｅ５ｂ，Ｅ５ｃへ移動した場合には、減衰係数が一段階大きくなる。
【０１７３】
そして、バイパス路９０，９１の連通が遮断されるストローク範囲Ｅ５のストロークエンド側（図５中、ストローク範囲Ｅ５よりも左側又は右側）へピストン３が移動した場合には、伸側室Ｒ１と圧側室Ｒ２との間を行き来する液体が伸側通路３ａ及び圧側通路３ｂを迂回できなくなる。このため、ピストン３がストローク範囲Ｅ５を超えてストロークエンド側へ移動した場合には、減衰係数がさらに一段階大きくなる。
【０１７４】
このように、上記構成によれば、ピストン３が所定のストローク範囲Ｅ５にある場合の減衰係数を小さくできるので、ダンパＤ４が小振幅で伸縮する場合の減衰力を小さくできる。また、ピストン３がストローク範囲Ｅ５の両端部Ｅ５ｂ，Ｅ５ｃに達すると減衰係数が一段階大きくなり、ダンパＤ４の振幅がさらに大きくなってストローク範囲Ｅ５を超えると減衰係数がもう一段階大きくなる。このように、上記構成によれば、ダンパＤ４の振幅が大きくなるにしたがって、減衰係数を段階的に大きくして、減衰力を段階的に大きくできる。
【０１７５】
このため、ダンパＤ４を備える免震装置では、中小規模の地震が発生してダンパＤ４が小振幅で伸縮する場合の減衰係数を小さくして減衰力を小さく抑えられるので、アイソレータによる振動絶縁性を阻害せず、良好な免震効果を得られる。その一方、大地震の発生によりダンパＤ４の振幅が大きくなると減衰係数が大きくなるので、大きな減衰力で構造物の振幅が大きくなり過ぎて隣接する建物又は擁壁等に干渉するのを防止できる。また、本実施の形態に係るダンパＤ４では、減衰係数を段階的に大きくできるので、減衰力が急変するのを抑制できる。
【０１７６】
さらに、本実施の形態のバイパス路９０，９１も第一の実施の形態のバイパス路７０と同様に、切替ロッド９Ａ，９Ｂの内部を通る。このため、本実施の形態に係るダンパＤ４においても、ダンパＤ１と同様に、切替ロッドを利用しピストン位置に依存して減衰係数を切り換えても、バイパス路９０，９１を形成するための加工が容易で、ピストン３の引っ掛かりを抑制できる。さらに、製品ごとの減衰性能のバラツキを抑制できる。
【０１７７】
また、本実施の形態において、切替ロッド９Ａ，９Ｂは、一対設けられている。そして、一方の切替ロッド９Ａに形成された第一サブ通路９０ｂは、伸側室Ｒ１からメイン通路９０ａへ向かう液体の流れのみを許容し、他方の切替ロッド９Ｂに形成された第一サブ通路９１ｂは、メイン通路９１ａから伸側室Ｒ１へ向かう液体の流れのみを許容する。また、一方の切替ロッド９Ａに形成された第二サブ通路９０ｃは、圧側室Ｒ２からメイン通路９０ａへ向かう液体の流れのみを許容し、他方の切替ロッド９Ｂに形成された第二サブ通路９１ｃは、メイン通路９１ａから圧側室Ｒ２へ向かう液体の流れのみを許容する。
【０１７８】
上記構成によれば、ピストン３がストローク範囲Ｅ５の両端部Ｅ５ｂ，Ｅ５ｃにある場合の伸側減衰力と圧側減衰力をそれぞれ設定できる。そして、このようにしても、切替ロッド９Ａ，９Ｂに形成する縦孔の数を一本にできるので、バイパス路９０，９１の形成が容易であるとともに、伸側第一サブバルブＶ７、圧側第一サブバルブＶ８、伸側第二サブバルブＶ１０、及び圧側第二サブバルブＶ９等のバルブの装着が容易である。
【０１７９】
なお、本実施の形態では、伸側第一サブバルブＶ７、圧側第一サブバルブＶ８、伸側第二サブバルブＶ１０、及び圧側第二サブバルブＶ９により、一方の切替ロッド９Ａに形成される第一サブ通路９０ｂと第二サブ通路９０ｃが伸側室Ｒ１又は圧側室Ｒ２からメイン通路９０ａへ向かう液体の流れのみを許容し、他方の切替ロッド９Ｂに形成される第一サブ通路９１ｂと第二サブ通路９１ｃがメイン通路９０ａ，９１ａから伸側室Ｒ１又は圧側室Ｒ２へ向かう液体の流れを許容する。
【０１８０】
しかし、一方の切替ロッド９Ａの第一サブ通路９０ｂに設けた伸側第一サブバルブＶ７と、他方の切替ロッド９Ｂの第一サブ通路９１ｂに設けた圧側第二サブバルブＶ９を入れかえてもよい。また、一方の切替ロッド９Ａの第二サブ通路９０ｃに設けた圧側第一サブバルブＶ８と他方の切替ロッド９Ｂの第二サブ通路９１ｃに設けた伸側第二サブバルブＶ１０を入れかえてもよい。
【０１８１】
さらに、第一サブ通路９０ｂ，９１ｂと、第二サブ通路９０ｃ，９１ｃの両方を、双方向流れを許容する通路にする場合には、切替ロッド９Ａ，９Ｂの数は一本のみであってもよい。
【０１８２】
具体的には、例えば、図６に示すダンパＤ４０では、切替ロッド９の内部を通るバイパス路９２が、メイン通路９２ａと、メイン通路９２ａの両端に連なる第一サブ通路９２ｂ及び第二サブ通路９２ｃを有して構成されている。そして、第一サブ通路９２ｂと第二サブ通路９２ｃの途中に絞りＶ１１，Ｖ１２が設けられ、第一サブ通路９２ｂと第二サブ通路９２ｃを液体が通過する際の抵抗がメイン通路９２ａを液体が通過する際の抵抗よりも大きくなるように設定されている。当該構成を備えるダンパＤ４０であっても、ダンパＤ４と同様に、ピストン位置に応じて減衰係数を段階的に大きくできる。
【０１８３】
以上、本発明の好ましい実施の形態を詳細に説明したが、特許請求の範囲から逸脱しない限り、改造、変形、及び変更が可能である。
【符号の説明】
【０１８４】
Ｄ１，Ｄ２，Ｄ３，Ｄ４，Ｄ４０・・・ダンパ、Ｅ１，Ｅ２，Ｅ３，Ｅ４，Ｅ５・・・所定のストローク範囲、Ｅ５ａ・・・所定のストローク範囲における中央部（一方の端部と他方の端部の間）、Ｅ５ｂ・・・所定のストローク範囲における一方の端部、Ｅ５ｃ・・・所定のストローク範囲における他方の端部、Ｒ１・・・伸側室、Ｒ２・・・圧側室、Ｔ・・・タンク、１・・・シリンダ、３・・・ピストン、３ａ・・・伸側通路（減衰通路）、３ｂ・・・圧側通路（減衰通路）、４・・・ロッド、７，７Ａ，７Ｂ，８Ａ，８Ｂ，９，９Ａ，９Ｂ・・・切替ロッド、６ａ・・・吸込通路、６ｂ・・・排出通路、７０，９０，９１，９２・・・バイパス路、７１・・・第一バイパス路（バイパス路）、７２・・・第二バイパス路（バイパス路）、８０・・・伸側バイパス路（バイパス路）、８１・・・圧側バイパス路（バイパス路）、９０ａ，９１ａ，９２ａ・・・メイン通路、９０ｂ，９１ｂ，９２ｂ・・・第一サブ通路、９０ｃ，９１ｃ，９２ｃ・・・第二サブ通路
【図１】
2018135896.tif 000003
【図２】
2018135896.tif 000004
【図３】
2018135896.tif 000005
【図４】
2018135896.tif 000006
【図５】
2018135896.tif 000007
【図６】
2018135896.tif 000008